(57)【要約】 【課題】  効率的に動力を発生する動力発生装置を提供する。【解決手段】  内輪体２に固定された永久磁石１１＿１〜１１＿１６のＮ極の端部は、外輪体３に固定された永久磁石２１＿１〜２１＿１６のＮ極の端部と反発する。これにより、内輪体２は、回転軸４を中心に時計回りの方向に回転が付勢される。【選択図】  図１
2008043079.tif 000002
【特許請求の範囲】
【請求項１】
回転軸を中心に回転し、外周面に周方向等間隔に、外側が所定の磁極となるように複数の第１の磁石体を固定した回転体と、
前記回転体の前記複数の第１の磁石体の前記所定の磁極とそれぞれ対向して当該所定の磁極と同磁極が位置するように前記回転体の周囲に配置された複数の第２の磁石体と
を有する動力発生装置。
【請求項２】
前記第２の磁石体は、前記回転体の周囲に位置する固定部材に固定されている
請求項１に記載の動力発生装置。
【請求項３】
前記回転体が所定の一方向にのみ回転するように回転を規制する回転規制手段
をさらに有する請求項１または請求項２に記載の動力発生装置。
【発明の詳細な説明】
【技術分野】
【０００１】
本発明は、動力を効率的に発生する動力発生装置に関する。
【背景技術】
【０００２】
例えば、石油などの燃料を燃焼させて生じたエネルギを基に発電を行うシステムがある。
【特許文献１】特開２００６−４２５７１号公報
【発明の開示】
【発明が解決しようとする課題】
【０００３】
しかしながら、上述した従来のシステムでは、石油などを燃焼させることで、大量の二酸化炭素を排出するため、地球環境上、様々な問題を引き起こしている。
また、石油などの資源は有限である。従って、動力を効率的に発生する装置が期待されている。
【０００４】
本発明は、上述した従来技術に鑑みてなされ、効率的に動力を発生する動力発生装置を提供することを目的とする。
【課題を解決するための手段】
【０００５】
上述した目的を達成するために、請求項１の発明の動力発生装置は、回転軸を中心に回転し、外周面に周方向等間隔に、外側が所定の磁極となるように複数の第１の磁石体を固定した回転体と、前記回転体の前記複数の第１の磁石体の前記所定の磁極とそれぞれ対向して当該所定の磁極と同磁極が位置するように前記回転体の周囲に配置された複数の第２の磁石体とを有する。
請求項１の発明では、前記回転体に固定された第１の磁石体の前記所定の磁極側が、前記第２の磁石体の上記所定の磁極側と対向することで、相互に反発して前記回転体が所定の回転方向に加速度を持って回転する。
【０００６】
請求項２の発明の動力発生装置は、好ましくは、前記第２の磁石体は、前記回転体の周囲に位置する固定部材に固定されている。
【０００７】
請求項３の動力発生装置は、好ましくは、前記回転体が所定の一方向にのみ回転するように回転を規制する回転規制手段をさらに有する。
【発明の効果】
【０００８】
本発明によれば、効率的に動力を発生する動力発生装置を提供することができる。
【発明を実施するための最良の形態】
【０００９】
以下、本発明の実施形態に係わる動力発生装置について説明する。
図１は、本発明の実施形態の動力発生装置１の正面図である。
図２は、図１に示す動力発生装置１を、図１に示す矢印Ａに示す断面線における断面図である。
【００１０】
先ず、本実施形態の構成要素と本発明の構成要素との対応関係を説明する。
回転軸４が本発明の回転軸の一例である。
また、内輪体２が本発明の回転体の一例であり、永久磁石１１＿１〜１１＿１６が本発明の第１の磁石体の一例である。
また、永久磁石２１＿１〜２１＿１６が本発明の第２の磁石体の一例である。
【００１１】
図１に示すように、動力発生装置１は、内輪体２と、外輪体３とを有する。
内輪体２の内側には、回転軸４が嵌め込まれている。
内輪体２は、回転軸４の回転と一体としなって、回転軸４の中心軸を中心に回転する。
【００１２】
内輪体２の外周面には、周方向に沿って等間隔に、１６個の永久磁石１１＿１〜１１＿１６が配設されている。
永久磁石１１＿１〜１１＿１６は、同じ形状を有している。
永久磁石１１＿１〜１１＿１６の各々は、例えば、内輪体２の外周面に接合されている端部から、外輪体３側の端部に向かうに従って断面が大きくなる形状をしている。
永久磁石１１＿１〜１１＿１６の端部のうち、内輪体２の外周面に接合されている端部はＳ極となり、外輪体３側の端部はＮ極になっている。
【００１３】
内輪体２には、時計回り方向にのみ回転するようにストッパー（回転規制手段）が設けられている（作用している）。
【００１４】
外輪体３の内周面には、周方向に沿って等間隔に、１６個の永久磁石２１＿１〜２１＿１６が配設されている。
永久磁石２１＿１〜２１＿１６は、同じ形状を有している。
永久磁石２１＿１〜２１＿１６の各々は、例えば、内輪体２の内周面に接合されている端部から、内輪体２側の端部に向かうに従って断面が小さくなる形状をしている。
ここで、永久磁石２１＿１〜２１＿１６の内輪体２側の端部の断面は、永久磁石１１＿１〜１１＿１６の外輪体３側の端部の断面と略同じであるか、やや大きい。
永久磁石２１＿１〜２１＿１６の端部のうち、外輪体３の内周面に接合されている端部はＳ極となり、内輪体２側の端部はＮ極になっている。
【００１５】
内輪体２に設けられた永久磁石１１＿１〜１１＿１６のＮ極の端部と、外輪体３に設けられた永久磁石２１＿１〜２１＿１６のＮ極の端部とは、相互に対向した状態で、互いに強い反発力を生じる位置に設けられている。
【００１６】
以下、図１および図２に示す動力発生装置１の動作例を説明する。
内輪体２が図１に示す回転位置にある状態において、ユーザが手などで内輪体２が回転軸４の中心軸を中心に例えば時計回りに回転するように付勢する。
これにより、内輪体２が図３に示すように、永久磁石１１＿１〜１１＿１６のＮ極が、永久磁石２１＿１〜２１＿１６のＮ極に対して僅かに時計回り方向に進んだ位置に移動する。
図３に示す当該位置において、永久磁石１１＿１〜１１＿１６のＮ極と、それぞれに対応した永久磁石２１＿１〜２１＿１６のＮ極とが強い力で反発し、内輪体２の時計方向の回転を加速させる。
【００１７】
その後、図４に示すように、外輪体３の永久磁石２１＿１〜２１＿１６の隣接する永久磁石のＮ極の略中間位置に、内輪体２の永久磁石１１＿１〜２１＿１６のＮ極が位置する。
図４に示す当該位置においては、内輪体２の永久磁石１１＿１〜１１＿１６のＮ極の各々が受ける、永久磁石２１＿１〜２１＿１６のＮ極との間の反発力は均衡する。そのため、内輪体２は、それまで受けた時計方向の回転力によって、時計方向に継続して回転する。
【００１８】
その後、図５に示すように、外輪体３の永久磁石２１＿１〜２１＿１６の隣接する永久磁石に対して反時計回り方向に僅かにずれた位置に、内輪体２の永久磁石１１＿１〜２１＿１６のＮ極が位置する。
図５に示す当該位置においては、内輪体２は、それまで受けた時計方向の回転力によって、時計方向に継続して回転する。その後、図３、図４および図５の位置関係と同じ反発力が、永久磁石１１＿１〜１１＿１６と永久磁石２１＿１〜２１＿１６との間に働き、内輪体２の時計方向の回転が継続して付勢（加速）される。その結果、内輪体２の回転を様々な動力として利用できる。
【００１９】
本発明は上述した実施形態には限定されない。
上述した実施形態では、内輪体２および外輪体３が、それぞれ１６個の永久磁石１１＿１〜１１＿１６および永久磁石２１＿１〜２１＿１６を備えた場合を例示したが、磁石体の数は同数であれば特に限定されない。
【００２０】
また、永久磁石１１＿１〜１１＿１６の外側および永久磁石２１＿１〜２１＿１６の内側がＮ極となる場合を例示したが、永久磁石１１＿１〜１１＿１６の外側および永久磁石２１＿１〜２１＿１６の内側がＳ極となるように配置してもよい。
また、上述した実施形態では、内輪体２を時計回りに回転させる場合を例示したが、最初にユーザが内輪体２を反時計回りに回転させることで、内輪体２を反時計回りに回転させてもよい。
【産業上の利用可能性】
【００２１】
本発明は、効率的に動力を発生する動力発生装置に適用できる。
【図面の簡単な説明】
【００２２】
【図１】図１は、本発明の実施形態の動力発生装置の平面側の構成図である。
【図２】図２は、図１に示すＡ−Ａ断面線における動力発生装置の断面図である。
【図３】図３は、図１に示す動力発生装置の内輪体２が、時計方向に僅かに回転した状態を説明ための図である。
【図４】図４は、図１に示す動力発生装置の内輪体２が図３に示す状態から時計方向に僅かに回転し、永久磁石１１＿１〜１１＿１６が永久磁石２１＿１〜２１＿１６の間に位置した状態を説明ための図である。
【図５】図５は、図１に示す動力発生装置の内輪体２が、図４に示す状態から時計方向に僅かに回転した状態を説明ための図である。
【００２３】
１…動力発生装置、２…*内輪体、３…外輪体、４…回転軸、１１＿１〜１１＿１６…永久磁石、２１＿１〜２１＿１６…永久磁石
【図１】
2008043079.tif 000003
【図２】
2008043079.tif 000004
【図３】
2008043079.tif 000005
【図４】
2008043079.tif 000006
【図５】
2008043079.tif 000007